(57)【要約】【課題】連続したデータを信号処理してデータ再生装置にワイヤレスで送信するためにかかる消費電力を削減することができるデータ処理装置を提供する。【解決手段】データ格納部１１０に格納されたデータの信号処理を行う第１の信号処理部１２０と、処理されたデータをデータ再生装置２００に向けて無線送信する第１の無線通信部１４０と、信号処理を実時間処理より速い速度で行わせることで間欠動作させるよう第１の信号処理部１２０を制御する信号処理制御部１５０と、間欠動作の停止期間に第１の信号処理部１２０および信号処理制御部１５０に対するクロックや電源の供給を制限するクロック／電源制御部１６０と、受信データ格納部２３０のデータ格納量に基づいて、クロック／電源制御部１６０による制限の解除を要求し、間欠動作の稼動期間への移行を信号処理制御部１５０に要求する起動制御部１８０とを備える。【選択図】図１
2008289054.tif 000002
【特許請求の範囲】
【請求項１】
受信したデータを受信データ格納部に一時格納しながら実時間処理で再生するデータ再生装置に送信するデータを処理するデータ処理装置において、
データを格納するデータ格納部と、
前記データ格納部に格納されたデータを読み出して信号処理を行う信号処理部と、
前記信号処理部によって処理されたデータを前記データ再生装置に向けて無線送信する無線通信部と、
前記信号処理を実時間処理より速い速度で行わせることで間欠動作させるよう前記信号処理部を制御する信号処理制御部と、
前記間欠動作の停止期間に前記信号処理部および前記信号処理制御部の少なくとも一部に対するクロック又は電源の少なくとも一方の供給を制限することによって前記信号処理部および前記信号処理制御部の消費電力を制限するよう前記信号処理部および前記信号処理制御部に対するクロック又は電源の少なくとも一方の供給を制御するクロック／電源制御部と、
前記受信データ格納部のデータ格納量に基づいて、前記信号処理部および前記信号処理制御部の少なくとも一部に対するクロック又は電源の少なくとも一方の供給の制限の解除を前記クロック／電源制御部に要求し、前記間欠動作の稼動期間への移行を前記信号処理制御部に要求する起動制御処理を行う起動制御部とを備えたことを特徴とするデータ処理装置。
【請求項２】
前記受信データ格納部のデータ格納量が規定量未満となるタイミングを計り、該タイミングで前記起動制御部にトリガ信号を出力するトリガ信号出力部を備え、
前記起動制御部は、前記トリガ信号に応じて、前記起動制御処理を行うことを特徴とする請求項１に記載のデータ処理装置。
【請求項３】
前記起動制御部は、前記受信データ格納部のデータ格納量が規定量未満となったときに前記データ再生装置から送信され前記無線通信部を介して受信されるデータ送信要求信号に応じて、前記起動制御処理を行うことを特徴とする請求項１に記載のデータ処理装置。
【請求項４】
前記無線通信部は、前記信号処理部によってデータが処理される度に、該データを前記データ再生装置に向けて無線送信することを特徴とする請求項１乃至請求項３の何れかに記載のデータ処理装置。
【請求項５】
前記信号処理部によって処理されたデータを一時蓄積する送信データ格納部を備え、
前記無線通信部は、前記信号処理部による信号処理が行われている間に、前記送信データ格納部に格納されている信号処理済みのデータを前記データ再生装置に向けて無線送信することを特徴とする請求項１乃至請求項３の何れかに記載のデータ処理装置。
【請求項６】
前記信号処理部によって処理されたデータを一時蓄積する送信データ格納部を備え、
前記無線通信部は、前記信号処理部による信号処理と独立して、前記信号処理部に格納されている信号処理済みのデータを前記データ再生装置に向けて無線送信することを特徴とする請求項１乃至請求項３の何れかに記載のデータ処理装置。
【請求項７】
前記信号処理部による信号処理は、前記データの符号化処理を含むことを特徴とする請求項１乃至請求項６の何れかに記載のデータ処理装置。
【請求項８】
前記信号処理部による信号処理は、前記データの復号処理を含むことを特徴とする請求項１乃至請求項６の何れかに記載のデータ処理装置。
【請求項９】
前記信号処理部による信号処理は、前記データのサンプリング周波数変換処理を含むことを特徴とする請求項１乃至請求項６の何れかに記載のデータ処理装置。
【請求項１０】
前記信号処理部による信号処理は、前記データの空間解像度変換処理を含むことを特徴とする請求項１乃至請求項６の何れかに記載のデータ処理装置。
【請求項１１】
前記信号処理部による信号処理は、前記データのフレームレート変換処理を含むことを特徴とする請求項１乃至請求項６の何れかに記載のデータ処理装置。
【請求項１２】
前記信号処理部による信号処理は、前記データのフォーマット変換処理を含むことを特徴とする請求項１乃至請求項６の何れかに記載のデータ処理装置。
【請求項１３】
前記信号処理部による信号処理は、前記無線通信部が準拠する通信プロトコルに対応した、前記データのプロトコル処理を含むことを特徴とする請求項１乃至請求項６の何れかに記載のデータ処理装置。
【請求項１４】
前記クロック／電源制御部は、前記信号処理部および前記信号処理制御部の少なくとも一部に供給するクロックの周波数の低減および遮断、ならびに、電源の電圧の低減および遮断のうち少なくとも一つを行うことにより、前記信号処理部および前記信号処理制御部の少なくとも一部に供給するクロック又は電源の少なくとも一方の供給を制限することを特徴とする請求項１乃至請求項１３の何れかに記載のデータ処理装置。
【発明の詳細な説明】
【技術分野】
【０００１】
本発明は、データ処理装置に関し、特に、オーディオビジュアルデータや放送信号等の再生のための信号処理を行うデータ処理装置に関するものである。
【背景技術】
【０００２】
従来のデータ処理装置として、図８に示す送信装置１０５のように、ネットワーク経由で取得した様々なコンテンツを格納するコンテンツデータ格納部１１５と、このコンテンツを受信装置２０５で再生可能なフォーマットに変換する信号処理部１２５と、フォーマット変換された結果を格納する転送データ格納部１３５と、転送データ格納部１３５に格納された結果をデータ再生装置としての受信装置２０５に無線送信する無線通信部１４５とを備え、データ処理装置とデータ再生装置との間をワイヤレスにし、ケーブルの取り付けや取り外しを不要とすることにより、操作性を向上させるものがあった（例えば、特許文献１参照）。
【０００３】
また、従来のデータ処理装置として、図９に示すように、放送波を受信する放送受信部１９６と、放送受信部１９６で受信したデータを復号する信号処理部１２６と、信号処理部１２６で復号した結果である復号データを格納する出力データ格納部１３６と、出力データ格納部１３６に格納されたデータを出力する出力部１４６と、装置各部の動作を制御する制御部１５６と、放送受信部１９６と信号処理部１２６と出力データ格納部１３６とに対する電源供給を制御する電源部１６６と、制御部１５６の起動タイミングを通知するタイマ部１７６とを備え、１日に数回更新されるデータ放送を、放送受信部１９６と信号処理部１２６を間欠動作させて受信および復号するものもあった（例えば、特許文献２参照）。
【０００４】
この従来のデータ処理装置においては、データ放送を受信する時間になるとタイマ部１７６から割り込みを受けた制御部１５６により放送受信部１９６と信号処理部１２６と出力データ格納部１３６とに対する電力供給が開始される。その後、放送波が放送受信部１９６に受信され、信号処理部１２６で復号された結果が出力データ格納部１３６に格納される。その後、制御部１５６により放送受信部１９６と信号処理部１２６と出力データ格納部１３６とにおける各処理が停止されるとともに、電源部１６６による電力の供給が遮断される。
【０００５】
このように、従来のデータ処理装置は、間欠動作の停止期間に電力の供給を遮断することにより、待機状態時の消費電力を削減していた。
【特許文献１】特開２００７−３６８８６号公報
【特許文献２】特開平１１−１２２５８６号公報
【発明の開示】
【発明が解決しようとする課題】
【０００６】
しかしながら、特許文献１に記載された技術では、データ処理装置とデータ再生装置との間をワイヤレスにすることにより操作性を向上させることができるものの、データ処理装置が常時動作しているため、電源およびクロックを各部に供給するだけで消費されるオフセット電流によって消費電流が増加し、消費電力がかかるといった問題があった。
【０００７】
また、特許文献２に記載された技術では、データの更新頻度が１日に数回程度のデータ放送のような用途においては消費電力を削減することができるものの、オーディオビジュアルデータや放送信号の再生のように連続したデータを信号処理して実時間処理で再生する用途の場合には、消費電力を削減することができないといった問題があった。
【０００８】
本発明は、従来の問題を解決するためになされたもので、オーディオビジュアルデータや放送信号のように連続したデータを信号処理してデータ再生装置にワイヤレスで送信するためにかかる消費電力を削減することができるデータ処理装置を提供することを目的とする。
【課題を解決するための手段】
【０００９】
本発明のデータ処理装置は、受信したデータを受信データ格納部に一時格納しながら実時間処理で再生するデータ再生装置に送信するデータを処理するデータ処理装置において、データを格納するデータ格納部と、前記データ格納部に格納されたデータを読み出して信号処理を行う信号処理部と、前記信号処理部によって処理されたデータを前記データ再生装置に向けて無線送信する無線通信部と、前記信号処理を実時間処理より速い速度で行わせることで間欠動作させるよう前記信号処理部を制御する信号処理制御部と、前記間欠動作の停止期間に前記信号処理部および前記信号処理制御部の少なくとも一部に対するクロック又は電源の少なくとも一方の供給を制限することによって前記信号処理部および前記信号処理制御部の消費電力を制限するよう前記信号処理部および前記信号処理制御部に対するクロック又は電源の少なくとも一方の供給を制御するクロック／電源制御部と、前記受信データ格納部のデータ格納量に基づいて、前記信号処理部および前記信号処理制御部の少なくとも一部に対するクロック又は電源の少なくとも一方の供給の制限の解除を前記クロック／電源制御部に要求し、前記間欠動作の稼動期間への移行を前記信号処理制御部に要求する起動制御処理を行う起動制御部とを備えた構成を有している。
【発明の効果】
【００１０】
本発明は、オーディオビジュアルデータや放送信号のように連続したデータを信号処理してデータ再生装置にワイヤレスで送信するためにかかる消費電力を削減することができるデータ処理装置を提供することができる。
【発明を実施するための最良の形態】
【００１１】
以下、本発明の実施の形態について、図面を参照して説明する。
【００１２】
（第１の実施の形態）
本発明の第１の実施の形態のデータ処理装置とデータ再生装置とを図１に示す。
【００１３】
図１に示すように、データ処理装置１００は、データを格納するデータ格納部１１０と、データ格納部１１０に格納されたデータを読み出して信号処理を行う第１の信号処理部１２０と、第１の信号処理部１２０によって処理されたデータをデータ再生装置２００に向けて無線送信する第１の無線通信部１４０と、第１の信号処理部１２０を間欠動作させるよう制御する信号処理制御部１５０と、第１の信号処理部１２０および信号処理制御部１５０の少なくとも一部に対するクロック又は電源の少なくとも一方の供給を制御するクロック／電源制御部１６０と、クロック／電源制御部１６０を制御する起動制御部１８０と、起動制御部１８０にクロック／電源制御部１６０を制御させるタイミングにトリガ信号を出力するトリガ信号出力部１７０とを備えている。
【００１４】
また、データ再生装置２００は、第１の無線通信部１４０から無線送信されたデータを受信する第２の無線通信部２４０と、第２の無線通信部２４０に受信されたデータを一時格納する受信データ格納部２３０と、受信データ格納部２３０から実時間処理でデータを読み出しながら信号処理を行って出力する第２の信号処理部２２０とを備えている。
【００１５】
なお、本実施の形態においては、データ処理装置１００を携帯電話端末によって構成し、データ再生装置２００をＢｌｕｅｔｏｏｔｈ（登録商標）等の無線通信方式に対応したステレオヘッドフォンによって構成し、データ処理装置１００に格納された音楽コンテンツのデータをデータ再生装置２００に無線送信して再生する例について説明する。
【００１６】
データ格納部１１０は、メモリカードによって構成されている。データ格納部１１０に格納されているデータは、ＡＡＣ（Advanced Audio Codec）で符号化された音声の圧縮データである。
【００１７】
第１の信号処理部１２０は、ＤＳＰ（Digital Signal Processor）によって構成され、データ格納部１１０に格納された圧縮データをＤＳＰのソフトウェア処理でＰＣＭ（Pulse Code Modulation）データに復号するようになっている。
【００１８】
また、第１の信号処理部１２０は、ＰＣＭデータをデータ再生装置２００で再生可能な符号化データであるＳＢＣ（SubBand Codec）データに符号化した後、Ｂｌｕｅｔｏｏｔｈの通信プロトコルに沿ってプロトコル処理を行うことにより、パケットデータを生成するようになっている。
【００１９】
第１の無線通信部１４０および第２の無線通信部２４０は、Ｂｌｕｅｔｏｏｔｈ規格に準拠した無線通信を行うことにより、パケットデータを送受信するようになっている。
【００２０】
信号処理制御部１５０は、マイクロコンピュータ等のデータ処理装置１００の各部を制御するためのプロセッサによって構成され、例えば、第１の信号処理部１２０に対して信号処理の開始や停止等を指示するようになっている。
【００２１】
特に、信号処理制御部１５０は、信号処理を実時間処理より速い速度で行わせることで間欠動作させるよう第１の信号処理部１２０を制御するようになっている。
【００２２】
具体的には、信号処理制御部１５０は、第１の信号処理部１２０に処理させるデータの量を指示し、指示した量のデータの処理が完了した旨の通知を第１の信号処理部１２０から受けて起動制御部１８０に停止要求をした後、起動制御部１８０から稼動期間への移行の要求を受けて、再び第１の信号処理部１２０に処理させるデータの量を指示するようになっている。これにより、第１の信号処理部１２０は、信号処理を行っている稼動状態と、信号処理を停止している停止状態とを交互にとるよう間欠動作する。
【００２３】
トリガ信号出力部１７０は、タイマを有し、第１の無線通信部１４０によって送信されるパケットデータの転送レートと、第２の信号処理部２２０によるデータの実時間の読み出し速度とに基づいて、受信データ格納部２３０のデータ格納量が規定量未満となるタイミングを計り、このタイミングで起動制御部１８０にトリガ信号を出力するようになっている。
【００２４】
ここで、規定量は、第２の信号処理部２２０によって実時間処理でデータが読み出されている受信データ格納部２３０のデータ格納量が０とならないように予め定められている。
【００２５】
起動制御部１８０は、信号処理制御部１５０の停止要求に応じて、第１の信号処理部１２０および信号処理制御部１５０の少なくとも一部に対するクロック又は電源の少なくとも一方の供給の制限を要求する制限要求信号をクロック／電源制御部１６０に出力する停止制御処理を行うようになっている。ここで、信号処理制御部１５０の少なくとも一部は、第１の信号処理部１２０を制御する部分を含む。
【００２６】
また、起動制御部１８０は、起動制御部１８０によって出力されたトリガ信号に応じて、停止制御処理で要求した制限の解除を要求する解除要求信号をクロック／電源制御部１６０に出力し、間欠動作の稼動期間への移行を信号処理制御部１５０に要求する起動制御処理を行うようになっている。
【００２７】
クロック／電源制御部１６０は、起動制御部１８０から出力された制限要求信号に応じて、第１の信号処理部１２０および信号処理制御部１５０の少なくとも一部に供給するクロックおよび電源の少なくとも一方を制限することによって、データ処理装置１００の消費電力を抑制するようになっている。また、クロック／電源制御部１６０は、起動制御部１８０から出力された解除要求信号に応じて、当該制限を解除するようになっている。
【００２８】
第１の信号処理部１２０および信号処理制御部１５０の少なくとも一部に供給するクロックを制限する場合には、クロック／電源制御部１６０は、当該クロックの遮断、低周波数化および低電圧化の何れかを行うよう、当該クロックを生成する図示しないクロック発生回路を制御するように構成される。
【００２９】
また、第１の信号処理部１２０および信号処理制御部１５０の少なくとも一部に供給する電源を制限する場合には、クロック／電源制御部１６０は、当該電源の遮断および低電圧化の何れかを行うよう、当該電源を供給する図示しない電源回路を制御するように構成される。
【００３０】
受信データ格納部２３０は、半導体メモリによって構成され、第２の無線通信部２４０によって受信されたパケットデータから変換されたＳＢＣデータを格納するようになっている。
【００３１】
第２の信号処理部２２０は、受信データ格納部２３０からＳＢＣデータを実時間処理で読み出し、読み出したＳＢＣデータを復号し、復号して得られたＰＣＭデータをアナログの音声信号に変換して出力するようになっている。
【００３２】
以上のように構成されたデータ処理装置１００およびデータ再生装置２００について図２を用いてその動作を説明する。ここで、データ処理装置１００およびデータ再生装置２００は、ＡＡＣやＳＢＣ等の処理単位であるフレーム単位で処理を行うものとする。
【００３３】
まず、第１の稼動期間において、データ処理装置１００では、所定のフレーム数（例えば、１０フレーム）分のＡＡＣの復号処理が連続して行われる。次いで、この復号処理の結果をＳＢＣデータに符号化するＳＢＣ処理と、ＳＢＣデータをパケットデータに変換するプロトコル処理とが行われる。
【００３４】
次いで、パケットデータをデータ再生装置２００に送信する送信処理が行われる。送信処理が完了すると間欠動作が待機期間となる。この期間では、第１の信号処理部１２０と信号処理制御部１５０の少なくとも一部のクロックや電源の供給が停止され、データ処理装置１００が省電力状態とする。
【００３５】
一方、データ再生装置２００では、データ処理装置１００から受信されたパケットデータから得られたＳＢＣデータの復号処理と、復号処理により得られたＰＣＭデータのアナログ信号への変換処理とを含む再生処理が実時間で連続して行われる。このため、受信データ格納部２３０に格納されたＳＢＣデータは第２の信号処理部２２０から随時読み出され消費される。
【００３６】
このように、時刻Ｔ１からＴ２にかけて、第２の信号処理部２２０で消費されるより多い量のデータがデータ処理装置１００から送信されるため、受信データ格納部２３０のデータ格納量は、急激に増加する。
【００３７】
一方、データ処理装置１００からデータが送信されなくなる時刻Ｔ２からは、受信データ格納部２３０に格納されたデータが第２の信号処理部２２０によって消費されるだけとなり、受信データ格納部２３０のデータ格納量は、減少していく。
【００３８】
受信データ格納部２３０のデータ格納量が時刻Ｔ３で規定量以下になるタイミングがトリガ信号出力部１７０によって計られると、データ処理装置１００において信号処理が再開され、時刻Ｔ４で送信処理が再開される。なお、前述した受信データ格納部２３０のデータ格納量に対する規定量は、時刻Ｔ４で受信データ格納部２３０のデータ格納量が０にならないように定められている。
【００３９】
以上のようにデータ処理装置１００およびデータ再生装置２００が動作することにより、受信データ格納部２３０に格納されたデータが枯渇することなく、連続したデータの再生が実現される。
【００４０】
例えば、４８ｋＨｚサンプリングのデータの再生時間は、１０フレームで約２００ｍｓｅｃであり、この時間内にデータ処理装置１００の処理が完了すれば連続したデータを再生することができる。第１の信号処理部１２０が１０倍速で復号することが可能であれば、１０フレーム分の処理が２０ｍｓｅｃで完了する。
【００４１】
さらに、データ処理装置１００がＳＢＣ処理と送信処理もそれぞれ１０ｍｓｅｃで完了することが可能であれば、計４０ｍｓｅｃで復号処理から送信処理までが完了される。このように、２００ｍｓｅｃの期間中４０ｍｓｅｃで処理が完了すれば８０％を待機期間とすることができる。
【００４２】
このような本発明の第１の実施の形態のデータ処理装置１００は、間欠動作の停止期間に第１の信号処理部１２０および信号処理制御部１５０の少なくとも一部に対するクロック又は電源の少なくとも一方の供給を制限するため、音楽コンテンツのデータを信号処理してデータ再生装置２００にワイヤレスで送信するためにかかる消費電力を削減することができる。
【００４３】
なお、本実施の形態では、データ処理装置１００を携帯電話端末によって構成した例について説明したが、これに限定するものではなく、携帯音楽再生機器等の携帯オーディオビジュアル端末によって構成してもよい。
【００４４】
また、本実施の形態では、第１の無線通信部１４０と第２の無線通信部２４０とが、Ｂｌｕｅｔｏｏｔｈ規格に準拠した無線通信を行うものとして説明したが、これに限定するものではなく、第１の無線通信部１４０と第２の無線通信部２４０とは、赤外線通信等のオーディオビジュアルデータを通信できる無線通信方式に準拠した無線通信を行うようにすればよい。
【００４５】
また、本実施の形態では、データ格納部１１０がメモリカードによって構成されるものとして説明したが、これに限定するものではなく、データ格納部１１０は、磁気テープ、磁気ディスク、半導体メモリ、ハードディスク等のオーディオビジュアルデータが格納できるものによって構成されていればよい。
【００４６】
また、本実施の形態では、データ格納部１１０に格納されているデータがＡＡＣで符号化された音声の圧縮データとして説明したが、これに限定するものではなく、データ格納部１１０に格納されているデータは、ＭＰ３（MPEG Audio Layer-3）データ等のようにデジタル化した音声データを圧縮したデータであればよい。
【００４７】
また、データ格納部１１０に格納されているデータは、ＭＰＥＧ−４ビデオ等の動画データやＪＰＥＧ（Joint Photographic Experts Group）等の静止画データであってもよい。
【００４８】
また、データ格納部１１０に格納されているデータは、ＤＥＳ（Data Encryption Standard）やＡＥＳ（Advanced Encryption Standard ）等で暗号化された暗号文であってもよい。この場合には、これら暗号の復号処理をさらに行うように第１の信号処理部１２０を構成する。
【００４９】
また、本実施の形態では、第１の信号処理部１２０がＡＡＣの復号処理、ＳＢＣ処理、プロトコル処理を行うものとして説明したが、これに限定するものではなく、データ再生装置２００でデータが再生できる範囲であれば、第１の信号処理部１２０は、これら処理の一部を行うようにしてもよい。
【００５０】
また、本実施の形態では、第２の信号処理部２２０がアナログ変換処理を行うものとして説明したが、これに限定するものではなく、第２の信号処理部２２０の出力先が液晶表示装置のようにデジタルデータを入力とする場合には、第２の信号処理部２２０は、アナログ変換処理を行わなくてもよい。
【００５１】
また、本実施の形態では、データ再生装置２００でデータを再生できるように第１の信号処理部１２０がＡＡＣからＳＢＣにトランスコードするものとして説明したが、これに限定するものではなく、第１の信号処理部１２０は、データがデータ再生装置２００で再生できないサンプリング周波数であれば再生可能なサンプリング周波数に変換する周波数変換処理、データがデータ再生装置２００で再生できない空間解像度であれば再生可能な空間解像度に変換する空間解像度変換処理、データがデータ再生装置２００で再生できないフレームレートであれば再生可能なフレームレートに変換するフレームレート変換処理、データがデータ再生装置２００で再生できないフォーマットであれば再生可能なフォーマットに変換するフォーマット変換処理を行うようにしてもよい。
【００５２】
また、本実施の形態では、第１の信号処理部１２０がＤＳＰによって構成されるものとして説明したが、これに限定するものではなく、第１の信号処理部１２０は、ＣＰＵ（Central Processing Unit）等の他のプロセッサによって構成してもよく、一部をハードウェアによって構成してもよく、全てをハードウェアによって構成してもよい。
【００５３】
また、本実施の形態では、データ処理装置１００が一度の稼動期間で処理するフレーム数を１０フレームとして説明したが、これに限定するものではない。ただし、稼動期間と待機期間との遷移には、クロック制御処理や電源制御処理等の、遷移に必要な処理のオーバーヘッドがあり、遷移の回数が多いほどオーバーヘッド回数が増えて負荷が増大するため、一度の稼動期間で処理するフレーム数が多い方が好ましい。
【００５４】
（第２の実施の形態）
本発明の第２の実施の形態のデータ処理装置とデータ再生装置とを図３に示す。なお、本実施の形態では、本発明の第１の実施の形態のデータ処理装置１００およびデータ再生装置２００の各構成要素に対応する構成要素には、同一の符号を付して説明する。
【００５５】
図３に示すように、データ処理装置３００は、データを格納するデータ格納部１１０と、データ格納部１１０に格納されたデータを読み出して信号処理を行う第１の信号処理部１２０と、第１の信号処理部１２０によって処理されたデータをデータ再生装置４００に向けて無線送信する第１の無線通信部１４０と、第１の信号処理部１２０を間欠動作させるよう制御する信号処理制御部１５０と、第１の信号処理部１２０および信号処理制御部１５０の少なくとも一部に対するクロック又は電源の少なくとも一方の供給を制御するクロック／電源制御部１６０と、クロック／電源制御部１６０を制御する起動制御部１８０とを備えている。
【００５６】
また、データ再生装置４００は、第１の無線通信部１４０から無線送信されたデータを受信する第２の無線通信部２４０と、第２の無線通信部２４０に受信されたデータを一時格納する受信データ格納部２３０と、受信データ格納部２３０から実時間処理でデータを読み出しながら信号処理を行って出力する第２の信号処理部２２０と、受信データ格納部２３０のデータ格納量を監視する受信データ監視部２９０とを備えている。
【００５７】
なお、本実施の形態においては、データ処理装置３００を携帯電話端末によって構成し、データ再生装置４００をＢｌｕｅｔｏｏｔｈ等の無線通信方式に対応したステレオヘッドフォンによって構成し、データ処理装置３００に格納された音楽コンテンツのデータをデータ再生装置４００に無線送信して再生する例について説明する。
【００５８】
データ格納部１１０は、メモリカードによって構成されている。データ格納部１１０に格納されているデータは、ＡＡＣ（Advanced Audio Codec）で符号化された音声の圧縮データである。
【００５９】
第１の信号処理部１２０は、ＤＳＰ（Digital Signal Processor）によって構成され、データ格納部１１０に格納された圧縮データをＤＳＰのソフトウェア処理でＰＣＭ（Pulse Code Modulation）データに復号するようになっている。
【００６０】
また、第１の信号処理部１２０は、ＰＣＭデータをデータ再生装置４００で再生可能な符号化データであるＳＢＣ（SubBand Codec）データに符号化した後、Ｂｌｕｅｔｏｏｔｈの通信プロトコルに沿ってプロトコル処理を行うことにより、パケットデータを生成するようになっている。
【００６１】
第１の無線通信部１４０および第２の無線通信部２４０は、Ｂｌｕｅｔｏｏｔｈ規格に準拠した無線通信を行うことにより、パケットデータを送受信するようになっている。また、第２の無線通信部２４０は、受信データ監視部２９０からの指示を受けて、パケットデータの送信を要求するためのデータ送信要求信号を第１の無線通信部１４０に送信するようになっている。
【００６２】
信号処理制御部１５０は、マイクロコンピュータ等のデータ処理装置３００の各部を制御するためのプロセッサによって構成され、例えば、第１の信号処理部１２０に対して信号処理の開始や停止等を指示するようになっている。
【００６３】
特に、信号処理制御部１５０は、信号処理を実時間処理より速い速度で行わせることで間欠動作させるよう第１の信号処理部１２０を制御するようになっている。
【００６４】
具体的には、信号処理制御部１５０は、第１の信号処理部１２０に処理させるデータの量を指示し、指示した量のデータの処理が完了した旨の通知を第１の信号処理部１２０から受けて起動制御部１８０に停止要求をした後、起動制御部１８０から稼動期間への移行の要求を受けて、再び第１の信号処理部１２０に処理させるデータの量を指示するようになっている。これにより、第１の信号処理部１２０は、信号処理を行っている稼動状態と、信号処理を停止している停止状態とを交互にとるよう間欠動作する。
【００６５】
起動制御部１８０は、信号処理制御部１５０の停止要求に応じて、第１の信号処理部１２０および信号処理制御部１５０の少なくとも一部に対するクロック又は電源の少なくとも一方の供給の制限を要求する制限要求信号をクロック／電源制御部１６０に出力する停止制御処理を行うようになっている。ここで、信号処理制御部１５０の少なくとも一部は、第１の信号処理部１２０を制御する部分を含む。
【００６６】
また、起動制御部１８０は、第１の無線通信部１４０に受信されたデータ送信要求信号に応じて、停止制御処理で要求した制限の解除を要求する解除要求信号をクロック／電源制御部１６０に出力し、間欠動作の稼動期間への移行を信号処理制御部１５０に要求する起動制御処理を行うようになっている。
【００６７】
クロック／電源制御部１６０は、起動制御部１８０から出力された制限要求信号に応じて、第１の信号処理部１２０および信号処理制御部１５０の少なくとも一部に供給するクロックおよび電源の少なくとも一方を制限することによって、データ処理装置１００の消費電力を抑制するようになっている。また、クロック／電源制御部１６０は、起動制御部１８０から出力された解除要求信号に応じて、当該制限を解除するようになっている。
【００６８】
第１の信号処理部１２０および信号処理制御部１５０の少なくとも一部に供給するクロックを制限する場合には、クロック／電源制御部１６０は、当該クロックの遮断、低周波数化および低電圧化の何れかを行うよう、当該クロックを生成する図示しないクロック発生回路を制御するように構成される。
【００６９】
また、第１の信号処理部１２０および信号処理制御部１５０の少なくとも一部に供給する電源を制限する場合には、クロック／電源制御部１６０は、当該電源の遮断および低電圧化の何れかを行うよう、当該電源を供給する図示しない電源回路を制御するように構成される。
【００７０】
受信データ格納部２３０は、半導体メモリによって構成され、第２の無線通信部２４０によって受信されたパケットデータから変換されたＳＢＣデータを格納するようになっている。
【００７１】
第２の信号処理部２２０は、受信データ格納部２３０からＳＢＣデータを実時間処理で読み出し、読み出したＳＢＣデータを復号し、復号して得られたＰＣＭデータをアナログの音声信号に変換して出力するようになっている。
【００７２】
受信データ監視部２９０は、受信データ格納部２３０のデータ格納量を監視し、受信データ格納部２３０のデータ格納量が規定量以下となったときにデータ送信要求信号の送信を第２の無線通信部２４０に指示するようになっている。ここで、規定量は、第２の信号処理部２２０によって実時間処理でデータが読み出されている受信データ格納部２３０のデータ格納量が０とならないように予め定められている。
【００７３】
以上のように構成されたデータ処理装置３００およびデータ再生装置４００については、本発明の第１の実施の形態で図２を用いて説明したデータ処理装置１００およびデータ再生装置２００の動作と略同じタイミングで動作するため、その説明を省略する。
【００７４】
このような本発明の第２の実施の形態のデータ処理装置３００は、間欠動作の停止期間に第１の信号処理部１２０および信号処理制御部１５０の少なくとも一部に対するクロック又は電源の少なくとも一方の供給を制限するため、音楽コンテンツのデータを信号処理してデータ再生装置４００にワイヤレスで送信するためにかかる消費電力を削減することができる。
【００７５】
また、本発明の第２の実施の形態のデータ処理装置３００は、受信データ格納部２３０のデータ格納量を監視する受信データ監視部２９０からの指示で送信されるデータ送信要求信号に応じて起動制御処理を行うため、データ再生装置４００に対するデータの送信をより正確なタイミングで行うことができる。
【００７６】
なお、本実施の形態では、データ処理装置３００を携帯電話端末によって構成した例について説明したが、これに限定するものではなく、携帯音楽再生機器等の携帯オーディオビジュアル端末によって構成してもよい。
【００７７】
また、本実施の形態では、第１の無線通信部１４０と第２の無線通信部２４０とが、Ｂｌｕｅｔｏｏｔｈ規格に準拠した無線通信を行うものとして説明したが、これに限定するものではなく、第１の無線通信部１４０と第２の無線通信部２４０とは、赤外線通信等のオーディオビジュアルデータを通信できる無線通信方式に準拠した無線通信を行うようにすればよい。
【００７８】
また、本実施の形態では、データ格納部１１０がメモリカードによって構成されるものとして説明したが、これに限定するものではなく、データ格納部１１０は、磁気テープ、磁気ディスク、半導体メモリ、ハードディスク等のオーディオビジュアルデータが格納できるものによって構成されていればよい。
【００７９】
また、本実施の形態では、データ格納部１１０に格納されているデータがＡＡＣで符号化された音声の圧縮データとして説明したが、これに限定するものではなく、データ格納部１１０に格納されているデータは、ＭＰ３（MPEG Audio Layer-3）データ等のようにデジタル化した音声データを圧縮したデータであればよい。
【００８０】
また、データ格納部１１０に格納されているデータは、ＭＰＥＧ−４ビデオ等の動画データやＪＰＥＧ（Joint Photographic Experts Group）等の静止画データであってもよい。
【００８１】
また、データ格納部１１０に格納されているデータは、ＤＥＳ（Data Encryption Standard）やＡＥＳ（Advanced Encryption Standard ）等で暗号化された暗号文であってもよい。この場合には、これら暗号の復号処理をさらに行うように第１の信号処理部１２０を構成する。
【００８２】
また、本実施の形態では、第１の信号処理部１２０がＡＡＣの復号処理、ＳＢＣ処理、プロトコル処理を行うものとして説明したが、これに限定するものではなく、データ再生装置４００でデータが再生できる範囲であれば、第１の信号処理部１２０は、これら処理の一部を行うようにしてもよい。
【００８３】
また、本実施の形態では、第２の信号処理部２２０がアナログ変換処理を行うものとして説明したが、これに限定するものではなく、第２の信号処理部２２０の出力先が液晶表示装置のようにデジタルデータを入力とする場合には、第２の信号処理部２２０は、アナログ変換処理を行わなくてもよい。
【００８４】
また、本実施の形態では、データ再生装置４００でデータを再生できるように第１の信号処理部１２０がＡＡＣからＳＢＣにトランスコードするものとして説明したが、これに限定するものではなく、第１の信号処理部１２０は、データがデータ再生装置４００で再生できないサンプリング周波数であれば再生可能なサンプリング周波数に変換する周波数変換処理、データがデータ再生装置４００で再生できない空間解像度であれば再生可能な空間解像度に変換する空間解像度変換処理、データがデータ再生装置４００で再生できないフレームレートであれば再生可能なフレームレートに変換するフレームレート変換処理、データがデータ再生装置４００で再生できないフォーマットであれば再生可能なフォーマットに変換するフォーマット変換処理を行うようにしてもよい。
【００８５】
また、本実施の形態では、第１の信号処理部１２０がＤＳＰによって構成されるものとして説明したが、これに限定するものではなく、第１の信号処理部１２０は、ＣＰＵ（Central Processing Unit）等の他のプロセッサによって構成してもよく、一部をハードウェアによって構成してもよく、全てをハードウェアによって構成してもよい。
【００８６】
また、本実施の形態では、データ処理装置３００が一度の稼動期間で処理するフレーム数を１０フレームとして説明したが、これに限定するものではない。ただし、稼動期間と待機期間との遷移には、クロック制御処理や電源制御処理等の、遷移に必要な処理のオーバーヘッドがあり、遷移の回数が多いほどオーバーヘッド回数が増えて負荷が増大するため、一度の稼動期間で処理するフレーム数が多い方が好ましい。
【００８７】
（第３の実施の形態）
本発明の第３の実施の形態のデータ処理装置とデータ再生装置とを図４に示す。なお、本実施の形態では、本発明の第２の実施の形態のデータ処理装置３００およびデータ再生装置４００の各構成要素に対応する構成要素には、同一の符号を付して説明する。
【００８８】
図４に示すように、データ処理装置５００は、データを格納するデータ格納部１１０と、データ格納部１１０に格納されたデータを読み出して信号処理を行う第１の信号処理部１２０と、第１の信号処理部１２０によって処理されたデータを一時格納する送信データ格納部１３０と、送信データ格納部１３０に格納されたデータをデータ再生装置６００に向けて無線送信する第１の無線通信部１４０と、第１の信号処理部１２０を間欠動作させるよう制御する信号処理制御部１５０と、第１の信号処理部１２０および信号処理制御部１５０の少なくとも一部に対するクロック又は電源の少なくとも一方の供給を制御するクロック／電源制御部１６０と、クロック／電源制御部１６０を制御する起動制御部１８０とを備えている。
【００８９】
また、データ再生装置６００は、第１の無線通信部１４０から無線送信されたデータを受信する第２の無線通信部２４０と、第２の無線通信部２４０に受信されたデータを一時格納する受信データ格納部２３０と、受信データ格納部２３０から実時間処理でデータを読み出しながら信号処理を行って出力する第２の信号処理部２２０と、受信データ格納部２３０のデータ格納量を監視する受信データ監視部２９０とを備えている。
【００９０】
なお、本実施の形態においては、データ処理装置５００を携帯電話端末によって構成し、データ再生装置６００をＢｌｕｅｔｏｏｔｈ等の無線通信方式に対応したステレオヘッドフォンによって構成し、データ処理装置５００に格納された音楽コンテンツのデータをデータ再生装置６００に無線送信して再生する例について説明する。
【００９１】
データ格納部１１０は、メモリカードによって構成されている。データ格納部１１０に格納されているデータは、ＡＡＣ（Advanced Audio Codec）で符号化された音声の圧縮データである。
【００９２】
第１の信号処理部１２０は、ＤＳＰ（Digital Signal Processor）によって構成され、データ格納部１１０に格納された圧縮データをＤＳＰのソフトウェア処理でＰＣＭ（Pulse Code Modulation）データに復号するようになっている。
【００９３】
また、第１の信号処理部１２０は、ＰＣＭデータをデータ再生装置６００で再生可能な符号化データであるＳＢＣ（SubBand Codec）データに符号化した後、Ｂｌｕｅｔｏｏｔｈの通信プロトコルに沿ってプロトコル処理を行うことにより、パケットデータを生成するようになっている。
【００９４】
第１の無線通信部１４０および第２の無線通信部２４０は、Ｂｌｕｅｔｏｏｔｈ規格に準拠した無線通信を行うことにより、パケットデータを送受信するようになっている。ここで、第１の無線通信部１４０は、第１の信号処理部１２０が信号処理をしている間に、送信データ格納部１３０に格納された信号処理済みのパケットデータを送信するようになっている。また、第２の無線通信部２４０は、受信データ監視部２９０からの指示を受けて、パケットデータの送信を要求するためのデータ送信要求信号を第１の無線通信部１４０に送信するようになっている。
【００９５】
信号処理制御部１５０は、マイクロコンピュータ等のデータ処理装置５００の各部を制御するためのプロセッサによって構成され、例えば、第１の信号処理部１２０に対して信号処理の開始や停止等を指示するようになっている。
【００９６】
特に、信号処理制御部１５０は、信号処理を実時間処理より速い速度で行わせることで間欠動作させるよう第１の信号処理部１２０を制御するようになっている。
【００９７】
具体的には、信号処理制御部１５０は、第１の信号処理部１２０に処理させるデータの量を指示し、指示した量のデータの処理が完了した旨の通知を第１の信号処理部１２０から受けて起動制御部１８０に停止要求をした後、起動制御部１８０から稼動期間への移行の要求を受けて、再び第１の信号処理部１２０に処理させるデータの量を指示するようになっている。これにより、第１の信号処理部１２０は、信号処理を行っている稼動状態と、信号処理を停止している停止状態とを交互にとるよう間欠動作する。
【００９８】
起動制御部１８０は、信号処理制御部１５０の停止要求に応じて、第１の信号処理部１２０および信号処理制御部１５０の少なくとも一部に対するクロック又は電源の少なくとも一方の供給の制限を要求する制限要求信号をクロック／電源制御部１６０に出力する停止制御処理を行うようになっている。ここで、信号処理制御部１５０の少なくとも一部は、第１の信号処理部１２０を制御する部分を含む。
【００９９】
また、起動制御部１８０は、第１の無線通信部１４０に受信されたデータ送信要求信号に応じて、停止制御処理で要求した制限の解除を要求する解除要求信号をクロック／電源制御部１６０に出力し、間欠動作の稼動期間への移行を信号処理制御部１５０に要求する起動制御処理を行うようになっている。
【０１００】
クロック／電源制御部１６０は、起動制御部１８０から出力された制限要求信号に応じて、第１の信号処理部１２０および信号処理制御部１５０の少なくとも一部に供給するクロックおよび電源の少なくとも一方を制限することによって、データ処理装置１００の消費電力を抑制するようになっている。また、クロック／電源制御部１６０は、起動制御部１８０から出力された解除要求信号に応じて、当該制限を解除するようになっている。
【０１０１】
第１の信号処理部１２０および信号処理制御部１５０の少なくとも一部に供給するクロックを制限する場合には、クロック／電源制御部１６０は、当該クロックの遮断、低周波数化および低電圧化の何れかを行うよう、当該クロックを生成する図示しないクロック発生回路を制御するように構成される。
【０１０２】
また、第１の信号処理部１２０および信号処理制御部１５０の少なくとも一部に供給する電源を制限する場合には、クロック／電源制御部１６０は、当該電源の遮断および低電圧化の何れかを行うよう、当該電源を供給する図示しない電源回路を制御するように構成される。
【０１０３】
受信データ格納部２３０は、半導体メモリによって構成され、第２の無線通信部２４０によって受信されたパケットデータから変換されたＳＢＣデータを格納するようになっている。
【０１０４】
第２の信号処理部２２０は、受信データ格納部２３０からＳＢＣデータを実時間処理で読み出し、読み出したＳＢＣデータを復号し、復号して得られたＰＣＭデータをアナログの音声信号に変換して出力するようになっている。
【０１０５】
受信データ監視部２９０は、受信データ格納部２３０のデータ格納量を監視し、受信データ格納部２３０のデータ格納量が規定量以下となったときにデータ送信要求信号の送信を第２の無線通信部２４０に指示するようになっている。ここで、規定量は、第２の信号処理部２２０によって実時間処理でデータが読み出されている受信データ格納部２３０のデータ格納量が０とならないように予め定められている。
【０１０６】
以上のように構成されたデータ処理装置５００およびデータ再生装置６００について図５を用いてその動作を説明する。ここで、データ処理装置５００およびデータ再生装置６００は、ＡＡＣやＳＢＣ等の処理単位であるフレーム単位で処理を行うものとする。
【０１０７】
まず、第２の稼動期間において、データ処理装置５００では、所定のフレーム数（例えば、１０フレーム）分のＡＡＣの復号処理が連続して行われる。次いで、この復号処理の結果をＳＢＣデータに符号化するＳＢＣ処理と、ＳＢＣデータをパケットデータに変換するプロトコル処理とが行われ、パケットデータが送信データ格納部１３０に格納される。
【０１０８】
これら信号処理が行われている間に、送信データ格納部１３０に格納されたパケットデータをデータ再生装置６００に送信する送信処理が行われる。なお、送信処理では、１つ前の稼動期間で第１の信号処理部１２０によって処理されて送信データ格納部１３０に格納してあったパケットデータが送信される。例えば、第３の稼動期間では、第２の稼動期間に送信データ格納部１３０に格納されたパケットデータが送信される。
【０１０９】
送信処理と第１の信号処理部１２０の処理とが完了すると間欠動作が待機期間となる。この期間では、第１の信号処理部１２０と信号処理制御部１５０の少なくとも一部のクロックや電源の供給が停止され、データ処理装置５００が省電力状態とする。
【０１１０】
一方、データ再生装置６００では、データ処理装置５００から受信されたパケットデータから得られたＳＢＣデータの復号処理と、復号処理により得られたＰＣＭデータのアナログ信号への変換処理とを含む再生処理が実時間で連続して行われる。このため、受信データ格納部２３０に格納されたＳＢＣデータは第２の信号処理部２２０から随時読み出され消費される。
【０１１１】
このように、時刻Ｔ１からＴ２にかけて、第２の信号処理部２２０で消費されるより多い量のデータがデータ処理装置５００から送信されるため、受信データ格納部２３０のデータ格納量は、急激に増加する。
【０１１２】
一方、データ処理装置５００からデータが送信されなくなる時刻Ｔ２からは、受信データ格納部２３０に格納されたデータが第２の信号処理部２２０によって消費されるだけとなり、受信データ格納部２３０のデータ格納量は、減少していく。
【０１１３】
受信データ格納部２３０のデータ格納量が時刻Ｔ３で規定量以下になり、データ処理装置５００にデータ送信要求信号が送信されると、データ処理装置５００において信号処理が再開され、時刻Ｔ４で送信処理が再開される。なお、前述した受信データ格納部２３０のデータ格納量に対する規定量は、時刻Ｔ４で受信データ格納部２３０のデータ格納量が０にならないように定められる。
【０１１４】
以上のようにデータ処理装置５００およびデータ再生装置６００が動作することにより、受信データ格納部２３０に格納されたデータが枯渇することなく、連続したデータの再生が実現される。
【０１１５】
例えば、４８ｋＨｚサンプリングのデータの再生時間は、１０フレームで約２００ｍｓｅｃであり、この時間内にデータ処理装置５００の処理が完了すれば連続したデータを再生することができる。第１の信号処理部１２０が１０倍速で復号することが可能であれば、１０フレーム分の処理が２０ｍｓｅｃで完了する。
【０１１６】
さらに、データ処理装置５００がＳＢＣ処理と送信処理もそれぞれ１０ｍｓｅｃで完了することが可能であれば、送信処理が復号処理と符号化処理とに対して並列に動作するため計３０ｍｓｅｃで復号処理から送信処理までが完了される。このように、２００ｍｓｅｃの期間中３０ｍｓｅｃで処理が完了すれば８５％を待機期間とすることができる。
【０１１７】
このような本発明の第３の実施の形態のデータ処理装置５００は、間欠動作の停止期間に第１の信号処理部１２０および信号処理制御部１５０の少なくとも一部に対するクロック又は電源の少なくとも一方の供給を制限するため、音楽コンテンツのデータを信号処理してデータ再生装置６００にワイヤレスで送信するためにかかる消費電力を削減することができる。
【０１１８】
また、本発明の第３の実施の形態のデータ処理装置５００は、受信データ格納部２３０のデータ格納量を監視する受信データ監視部２９０からの指示でデータ再生装置６００から送信されるデータ送信要求信号に応じて起動制御処理を行うため、データ再生装置６００に対するデータの送信をより正確なタイミングで行うことができる。
【０１１９】
また、本発明の第３の実施の形態のデータ処理装置５００は、データ再生装置６００にパケットデータを送信する送信処理を復号処理および符号化処理と並列に実行することができ、間欠動作の待機期間をより長くすることができる。
【０１２０】
なお、本実施の形態では、データ処理装置５００を携帯電話端末によって構成した例について説明したが、これに限定するものではなく、携帯音楽再生機器等の携帯オーディオビジュアル端末によって構成してもよい。
【０１２１】
また、本実施の形態では、第１の無線通信部１４０と第２の無線通信部２４０とが、Ｂｌｕｅｔｏｏｔｈ規格に準拠した無線通信を行うものとして説明したが、これに限定するものではなく、第１の無線通信部１４０と第２の無線通信部２４０とは、赤外線通信等のオーディオビジュアルデータを通信できる無線通信方式に準拠した無線通信を行うようにすればよい。
【０１２２】
また、本実施の形態では、データ格納部１１０がメモリカードによって構成されるものとして説明したが、これに限定するものではなく、データ格納部１１０は、磁気テープ、磁気ディスク、半導体メモリ、ハードディスク等のオーディオビジュアルデータが格納できるものによって構成されていればよい。
【０１２３】
また、本実施の形態では、データ格納部１１０に格納されているデータがＡＡＣで符号化された音声の圧縮データとして説明したが、これに限定するものではなく、データ格納部１１０に格納されているデータは、ＭＰ３（MPEG Audio Layer-3）データ等のようにデジタル化した音声データを圧縮したデータであればよい。
【０１２４】
また、データ格納部１１０に格納されているデータは、ＭＰＥＧ−４ビデオ等の動画データやＪＰＥＧ（Joint Photographic Experts Group）等の静止画データであってもよい。
【０１２５】
また、データ格納部１１０に格納されているデータは、ＤＥＳ（Data Encryption Standard）やＡＥＳ（Advanced Encryption Standard ）等で暗号化された暗号文であってもよい。この場合には、これら暗号の復号処理をさらに行うように第１の信号処理部１２０を構成する。
【０１２６】
また、本実施の形態では、第１の信号処理部１２０がＡＡＣの復号処理、ＳＢＣ処理、プロトコル処理を行うものとして説明したが、これに限定するものではなく、データ再生装置６００でデータが再生できる範囲であれば、第１の信号処理部１２０は、これら処理の一部を行うようにしてもよい。
【０１２７】
また、本実施の形態では、第２の信号処理部２２０がアナログ変換処理を行うものとして説明したが、これに限定するものではなく、第２の信号処理部２２０の出力先が液晶表示装置のようにデジタルデータを入力とする場合には、第２の信号処理部２２０は、アナログ変換処理を行わなくてもよい。
【０１２８】
また、本実施の形態では、データ再生装置６００でデータを再生できるように第１の信号処理部１２０がＡＡＣからＳＢＣにトランスコードするものとして説明したが、これに限定するものではなく、第１の信号処理部１２０は、データがデータ再生装置６００で再生できないサンプリング周波数であれば再生可能なサンプリング周波数に変換する周波数変換処理、データがデータ再生装置６００で再生できない空間解像度であれば再生可能な空間解像度に変換する空間解像度変換処理、データがデータ再生装置６００で再生できないフレームレートであれば再生可能なフレームレートに変換するフレームレート変換処理、データがデータ再生装置６００で再生できないフォーマットであれば再生可能なフォーマットに変換するフォーマット変換処理を行うようにしてもよい。
【０１２９】
また、本実施の形態では、第１の信号処理部１２０がＤＳＰによって構成されるものとして説明したが、これに限定するものではなく、第１の信号処理部１２０は、ＣＰＵ（Central Processing Unit）等の他のプロセッサによって構成してもよく、一部をハードウェアによって構成してもよく、全てをハードウェアによって構成してもよい。
【０１３０】
また、本実施の形態では、データ処理装置５００が一度の稼動期間で処理するフレーム数を１０フレームとして説明したが、これに限定するものではない。ただし、稼動期間と待機期間との遷移には、クロック制御処理や電源制御処理等の、遷移に必要な処理のオーバーヘッドがあり、遷移の回数が多いほどオーバーヘッド回数が増えて負荷が増大するため、一度の稼動期間で処理するフレーム数が多い方が好ましい。
【０１３１】
また、本実施の形態では、起動制御部１８０がデータ再生装置６００から送信されたデータ送信要求信号に応じて起動制御処理を行うものとして説明したが、本発明の第１の実施の形態のデータ処理装置１００と同様に、データ処理装置５００にトリガ信号出力部１７０を設け、起動制御部１８０がトリガ信号出力部１７０から出力されたトリガ信号に応じて起動制御処理を行うようにしてもよい。
【０１３２】
（第４の実施の形態）
本発明の第４の実施の形態のデータ処理装置とデータ再生装置とを図６に示す。なお、本実施の形態では、本発明の第１の実施の形態のデータ処理装置１００およびデータ再生装置２００の各構成要素に対応する構成要素には、同一の符号を付して説明する。
【０１３３】
図６に示すように、データ処理装置７００は、データを格納するデータ格納部１１０と、データ格納部１１０に格納されたデータを読み出して信号処理を行う第１の信号処理部１２０と、第１の信号処理部１２０によって処理されたデータを一時格納する送信データ格納部１３０と、送信データ格納部１３０に格納されたデータをデータ再生装置８００に向けて無線送信する第１の無線通信部１４０と、第１の信号処理部１２０を間欠動作させるよう制御する信号処理制御部１５０と、第１の信号処理部１２０および信号処理制御部１５０の少なくとも一部に対するクロック又は電源の少なくとも一方の供給を制御するクロック／電源制御部１６０と、クロック／電源制御部１６０を制御する起動制御部１８０と、送信データ格納部１３０のデータ格納量を監視する送信データ監視部１９０とを備えている。
【０１３４】
また、データ再生装置８００は、第１の無線通信部１４０から無線送信されたデータを受信する第２の無線通信部２４０と、第２の無線通信部２４０に受信されたデータを一時格納する受信データ格納部２３０と、受信データ格納部２３０から実時間処理でデータを読み出しながら信号処理を行って出力する第２の信号処理部２２０とを備えている。
【０１３５】
なお、本実施の形態においては、データ処理装置７００を携帯電話端末によって構成し、データ再生装置８００をＢｌｕｅｔｏｏｔｈ等の無線通信方式に対応したステレオヘッドフォンによって構成し、データ処理装置７００に格納された音楽コンテンツのデータをデータ再生装置８００に無線送信して再生する例について説明する。
【０１３６】
データ格納部１１０は、メモリカードによって構成されている。データ格納部１１０に格納されているデータは、ＡＡＣ（Advanced Audio Codec）で符号化された音声の圧縮データである。
【０１３７】
第１の信号処理部１２０は、ＤＳＰ（Digital Signal Processor）によって構成され、データ格納部１１０に格納された圧縮データをＤＳＰのソフトウェア処理でＰＣＭ（Pulse Code Modulation）データに復号するようになっている。
【０１３８】
また、第１の信号処理部１２０は、ＰＣＭデータをデータ再生装置８００で再生可能な符号化データであるＳＢＣ（SubBand Codec）データに符号化した後、Ｂｌｕｅｔｏｏｔｈの通信プロトコルに沿ってプロトコル処理を行うことにより、パケットデータを生成するようになっている。
【０１３９】
第１の無線通信部１４０および第２の無線通信部２４０は、Ｂｌｕｅｔｏｏｔｈ規格に準拠した無線通信を行うことにより、パケットデータを送受信するようになっている。ここで、第１の無線通信部１４０は、第１の信号処理部１２０による信号処理とは独立して、送信データ格納部１３０に格納された信号処理済みのパケットデータを実時間処理で読み出して送信するようになっている。
【０１４０】
信号処理制御部１５０は、マイクロコンピュータ等のデータ処理装置７００の各部を制御するためのプロセッサによって構成され、例えば、第１の信号処理部１２０に対して信号処理の開始や停止等を指示するようになっている。
【０１４１】
特に、信号処理制御部１５０は、信号処理を実時間処理より速い速度で行わせることで間欠動作させるよう第１の信号処理部１２０を制御するようになっている。
【０１４２】
具体的には、信号処理制御部１５０は、第１の信号処理部１２０に処理させるデータの量を指示し、指示した量のデータの処理が完了した旨の通知を第１の信号処理部１２０から受けて起動制御部１８０に停止要求をした後、起動制御部１８０から稼動期間への移行の要求を受けて、再び第１の信号処理部１２０に処理させるデータの量を指示するようになっている。これにより、第１の信号処理部１２０は、信号処理を行っている稼動状態と、信号処理を停止している停止状態とを交互にとるよう間欠動作する。
【０１４３】
送信データ監視部１９０は、送信データ格納部１３０のデータ格納量を監視し、送信データ格納部１３０のデータ格納量が規定量以下となったときに起動制御部１８０にデータ処理要求信号を出力するようになっている。ここで、規定量は、第１の無線通信部１４０によって実時間処理でデータが読み出されている送信データ格納部１３０のデータ格納量が０とならないように予め定められている。
【０１４４】
なお、第１の無線通信部１４０によって送信データ格納部１３０から実時間処理でデータが読み出される一方で、第２の信号処理部２２０によって受信データ格納部２３０から実時間処理でデータが読み出されるため、送信データ格納部１３０のデータ格納量が０とならないように規定量を定めることによって、受信データ格納部２３０のデータ格納量が０となることを防ぐことができる。
【０１４５】
起動制御部１８０は、信号処理制御部１５０の停止要求に応じて、第１の信号処理部１２０および信号処理制御部１５０の少なくとも一部に対するクロック又は電源の少なくとも一方の供給の制限を要求する制限要求信号をクロック／電源制御部１６０に出力する停止制御処理を行うようになっている。ここで、信号処理制御部１５０の少なくとも一部は、第１の信号処理部１２０を制御する部分を含む。
【０１４６】
また、起動制御部１８０は、起動制御部１８０によって出力されたトリガ信号に応じて、停止制御処理で要求した制限の解除を要求する解除要求信号をクロック／電源制御部１６０に出力し、間欠動作の稼動期間への移行を信号処理制御部１５０に要求する起動制御処理を行うようになっている。
【０１４７】
クロック／電源制御部１６０は、起動制御部１８０から出力された制限要求信号に応じて、第１の信号処理部１２０および信号処理制御部１５０の少なくとも一部に供給するクロックおよび電源の少なくとも一方を制限することによって、データ処理装置１００の消費電力を抑制するようになっている。また、クロック／電源制御部１６０は、起動制御部１８０から出力された解除要求信号に応じて、当該制限を解除するようになっている。
【０１４８】
第１の信号処理部１２０および信号処理制御部１５０の少なくとも一部に供給するクロックを制限する場合には、クロック／電源制御部１６０は、当該クロックの遮断、低周波数化および低電圧化の何れかを行うよう、当該クロックを生成する図示しないクロック発生回路を制御するように構成される。
【０１４９】
また、第１の信号処理部１２０および信号処理制御部１５０の少なくとも一部に供給する電源を制限する場合には、クロック／電源制御部１６０は、当該電源の遮断および低電圧化の何れかを行うよう、当該電源を供給する図示しない電源回路を制御するように構成される。
【０１５０】
受信データ格納部２３０は、半導体メモリによって構成され、第２の無線通信部２４０によって受信されたパケットデータから変換されたＳＢＣデータを格納するようになっている。
【０１５１】
第２の信号処理部２２０は、受信データ格納部２３０からＳＢＣデータを実時間処理で読み出し、読み出したＳＢＣデータを復号し、復号して得られたＰＣＭデータをアナログの音声信号に変換して出力するようになっている。
【０１５２】
以上のように構成されたデータ処理装置７００およびデータ再生装置８００について図７を用いてその動作を説明する。ここで、データ処理装置７００およびデータ再生装置８００は、ＡＡＣやＳＢＣ等の処理単位であるフレーム単位で処理を行うものとする。
【０１５３】
まず、第１の稼動期間において、データ処理装置７００では、所定のフレーム数（例えば、１０フレーム）分のＡＡＣの復号処理が連続して行われる。次いで、この復号処理の結果をＳＢＣデータに符号化するＳＢＣ処理と、ＳＢＣデータをパケットデータに変換するプロトコル処理とが行われ、パケットデータが送信データ格納部１３０に格納される。
【０１５４】
第１の信号処理部１２０の処理が完了すると間欠動作が待機期間となる。この期間では、第１の信号処理部１２０と信号処理制御部１５０の少なくとも一部のクロックや電源の供給が停止され、データ処理装置７００が省電力状態とする。
【０１５５】
第１の信号処理部１２０による信号処理とは独立して並行に、送信データ格納部１３０に格納されたデータをデータ再生装置８００に送信する送信処理が行われる。なお、送信処理では、１つ前の稼動期間で第１の信号処理部１２０によって処理されて送信データ格納部１３０に格納してあったパケットデータが実時間処理で読み出されて送信される。
【０１５６】
一方、データ再生装置８００では、データ処理装置７００から受信されたパケットデータから得られたＳＢＣデータの復号処理と、復号処理により得られたＰＣＭデータのアナログ信号への変換処理とを含む再生処理が実時間で連続して行われる。このため、受信データ格納部２３０に格納されたＳＢＣデータは第２の信号処理部２２０から随時読み出され消費される。
【０１５７】
このように、時刻Ｔ１からＴ２にかけて、第１の無線通信部１４０で消費されるより多い量のデータが第１の信号処理部１２０によって送信データ格納部１３０に書き込まれるため、送信データ格納部１３０のデータ格納量は、急激に増加する。
【０１５８】
一方、データ処理装置７００からデータが送信されなくなる時刻Ｔ２からは、送信データ格納部１３０に格納されたデータが第１の無線通信部１４０によって消費されるだけとなり、送信データ格納部１３０のデータ格納量は、減少していく。
【０１５９】
送信データ格納部１３０のデータ格納量が時刻Ｔ３で規定量以下になり、送信データ監視部１９０から起動制御部１８０にデータ処理要求信号が出力されると、第１の信号処理部１２０による信号処理が再開される。なお、前述した送信データ格納部１３０のデータ格納量に対する規定量は、時刻Ｔ４で送信データ格納部１３０のデータ格納量が０にならないように定められる。
【０１６０】
以上のようにデータ処理装置７００およびデータ再生装置８００が動作することにより、受信データ格納部２３０に格納されたデータが枯渇することなく、連続したデータの再生が実現される。
【０１６１】
例えば、４８ｋＨｚサンプリングのデータの再生時間は、１０フレームで約２００ｍｓｅｃであり、この時間内にデータ処理装置７００の処理が完了すれば連続したデータを再生することができる。第１の信号処理部１２０が１０倍速で復号することが可能であれば、１０フレーム分の処理が２０ｍｓｅｃで完了する。
【０１６２】
さらに、データ処理装置７００がＳＢＣ処理と送信処理もそれぞれ１０ｍｓｅｃで完了することが可能であれば、送信処理が復号処理と符号化処理とに対して並列に動作するため計３０ｍｓｅｃで復号処理から送信処理までが完了される。このように、２００ｍｓｅｃの期間中３０ｍｓｅｃで処理が完了すれば８５％を待機期間とすることができる。
【０１６３】
このような本発明の第４の実施の形態のデータ処理装置７００は、間欠動作の停止期間に第１の信号処理部１２０および信号処理制御部１５０の少なくとも一部に対するクロック又は電源の少なくとも一方の供給を制限するため、音楽コンテンツのデータを信号処理してデータ再生装置８００にワイヤレスで送信するためにかかる消費電力を削減することができる。
【０１６４】
また、本発明の第４の実施の形態のデータ処理装置７００は、送信データ格納部１３０のデータ格納量を監視する送信データ監視部１９０から出力されるデータ処理要求信号に応じて起動制御処理を行うため、データ再生装置８００に対するデータの送信をより正確なタイミングで行うことができる。
【０１６５】
また、本発明の第４の実施の形態のデータ処理装置７００は、データ再生装置８００にパケットデータを送信する送信処理を復号処理および符号化処理と独立して並列に実行することができ、間欠動作の待機期間をより長くすることができる。
【０１６６】
なお、本実施の形態では、データ処理装置７００を携帯電話端末によって構成した例について説明したが、これに限定するものではなく、携帯音楽再生機器等の携帯オーディオビジュアル端末によって構成してもよい。
【０１６７】
また、本実施の形態では、第１の無線通信部１４０と第２の無線通信部２４０とが、Ｂｌｕｅｔｏｏｔｈ規格に準拠した無線通信を行うものとして説明したが、これに限定するものではなく、第１の無線通信部１４０と第２の無線通信部２４０とは、赤外線通信等のオーディオビジュアルデータを通信できる無線通信方式に準拠した無線通信を行うようにすればよい。
【０１６８】
また、本実施の形態では、データ格納部１１０がメモリカードによって構成されるものとして説明したが、これに限定するものではなく、データ格納部１１０は、磁気テープ、磁気ディスク、半導体メモリ、ハードディスク等のオーディオビジュアルデータが格納できるものによって構成されていればよい。
【０１６９】
また、本実施の形態では、データ格納部１１０に格納されているデータがＡＡＣで符号化された音声の圧縮データとして説明したが、これに限定するものではなく、データ格納部１１０に格納されているデータは、ＭＰ３（MPEG Audio Layer-3）データ等のようにデジタル化した音声データを圧縮したデータであればよい。
【０１７０】
また、データ格納部１１０に格納されているデータは、ＭＰＥＧ−４ビデオ等の動画データやＪＰＥＧ（Joint Photographic Experts Group）等の静止画データであってもよい。
【０１７１】
また、データ格納部１１０に格納されているデータは、ＤＥＳ（Data Encryption Standard）やＡＥＳ（Advanced Encryption Standard ）等で暗号化された暗号文であってもよい。この場合には、これら暗号の復号処理をさらに行うように第１の信号処理部１２０を構成する。
【０１７２】
また、本実施の形態では、第１の信号処理部１２０がＡＡＣの復号処理、ＳＢＣ処理、プロトコル処理を行うものとして説明したが、これに限定するものではなく、データ再生装置８００でデータが再生できる範囲であれば、第１の信号処理部１２０は、これら処理の一部を行うようにしてもよい。
【０１７３】
また、本実施の形態では、第２の信号処理部２２０がアナログ変換処理を行うものとして説明したが、これに限定するものではなく、第２の信号処理部２２０の出力先が液晶表示装置のようにデジタルデータを入力とする場合には、第２の信号処理部２２０は、アナログ変換処理を行わなくてもよい。
【０１７４】
また、本実施の形態では、データ再生装置８００でデータを再生できるように第１の信号処理部１２０がＡＡＣからＳＢＣにトランスコードするものとして説明したが、これに限定するものではなく、第１の信号処理部１２０は、データがデータ再生装置８００で再生できないサンプリング周波数であれば再生可能なサンプリング周波数に変換する周波数変換処理、データがデータ再生装置８００で再生できない空間解像度であれば再生可能な空間解像度に変換する空間解像度変換処理、データがデータ再生装置８００で再生できないフレームレートであれば再生可能なフレームレートに変換するフレームレート変換処理、データがデータ再生装置８００で再生できないフォーマットであれば再生可能なフォーマットに変換するフォーマット変換処理を行うようにしてもよい。
【０１７５】
また、本実施の形態では、第１の信号処理部１２０がＤＳＰによって構成されるものとして説明したが、これに限定するものではなく、第１の信号処理部１２０は、ＣＰＵ（Central Processing Unit）等の他のプロセッサによって構成してもよく、一部をハードウェアによって構成してもよく、全てをハードウェアによって構成してもよい。
【０１７６】
また、本実施の形態では、データ処理装置７００が一度の稼動期間で処理するフレーム数を１０フレームとして説明したが、これに限定するものではない。ただし、稼動期間と待機期間との遷移には、クロック制御処理や電源制御処理等の、遷移に必要な処理のオーバーヘッドがあり、遷移の回数が多いほどオーバーヘッド回数が増えて負荷が増大するため、一度の稼動期間で処理するフレーム数が多い方が好ましい。
【０１７７】
また、本実施の形態では、起動制御部１８０が送信データ監視部１９０から送信されたデータ処理要求信号に応じて起動制御処理を行うものとして説明したが、本発明の第１の実施の形態のデータ処理装置１００と同様に、データ処理装置７００にトリガ信号出力部１７０を設け、起動制御部１８０がトリガ信号出力部１７０から出力されたトリガ信号に応じて起動制御処理を行うようにしてもよい。
【産業上の利用可能性】
【０１７８】
本発明にかかるデータ処理装置は、バッテリ駆動する携帯機器向けのオーディオプレーヤおよびビデオプレーヤならびにオーディオビジュアル処理を行う携帯電話等に特に有用である。
【図面の簡単な説明】
【０１７９】
【図１】本発明の第１の実施の形態におけるデータ処理装置およびデータ再生装置のブロック図
【図２】本発明の第１の実施の形態におけるデータ処理装置およびデータ再生装置のタイミング図
【図３】本発明の第２の実施の形態におけるデータ処理装置およびデータ再生装置のブロック図
【図４】本発明の第３の実施の形態におけるデータ処理装置およびデータ再生装置のブロック図
【図５】本発明の第３の実施の形態におけるデータ処理装置およびデータ再生装置のタイミング図
【図６】本発明の第４の実施の形態におけるデータ処理装置およびデータ再生装置のブロック図
【図７】本発明の第４の実施の形態におけるデータ処理装置およびデータ再生装置のタイミング図
【図８】従来のデータ処理装置およびデータ再生装置のブロック図
【図９】従来の他のデータ処理装置のブロック図
【符号の説明】
【０１８０】
１００、３００、５００、７００  データ処理装置
１０５  送信装置
１１０  データ格納部
１１５  コンテンツデータ格納部
１２０  第１の信号処理部
１２５、１２６  信号処理部
１３０  送信データ格納部
１３５  転送データ格納部
１３６  出力データ格納部
１４０  第１の無線通信部
１４５  無線通信部
１４６  出力部
１５０  信号処理制御部
１５６  制御部
１６０  クロック／電源制御部
１６６  電源部
１７０  トリガ信号出力部
１７６  タイマ部
１８０  起動制御部
１９０  送信データ監視部
１９６  放送受信部
２００、４００、６００、８００  データ再生装置
２０５  受信装置
２２０  第２の信号処理部
２３０  受信データ格納部
２４０  第２の無線通信部
２９０  受信データ監視部
【図１】
2008289054.tif 000003
【図２】
2008289054.tif 000004
【図３】
2008289054.tif 000005
【図４】
2008289054.tif 000006
【図５】
2008289054.tif 000007
【図６】
2008289054.tif 000008
【図７】
2008289054.tif 000009
【図８】
2008289054.tif 000010
【図９】
2008289054.tif 000011